(57)【要約】      （修正有）【課題】多重化を行っているチャネルを使ってスロットダイバーシチを実行する際に、複数スロット間において割り当てられる通信時間に差がある場合に、有効にスロットダイバーシチを行う方法を提案する。【解決手段】第１の無線通信装置から第２の無線通信装置へ、第１の一連の通信フレームの第１タイムスロットによって送信された情報と同一の情報が、第２の一連の通信フレームの第２タイムスロットで多重送信されているか否かを判定する第１判定ステップ、第１タイムスロットと、第２タイムスロットとの時間差を順次取得する取得ステップ、第１及び第２の一連の通信フレームが順次送信されるのに応じて、取得した各時間差が増加まはた減少するか否かを判定する第２判定ステップ、第１タイムスロットおよび第２タイムスロットの少なくとも１方の多重送信の態様を変更する変更ステップを含むことを特徴とする。【選択図】図１
2008136128.tif 000002
【特許請求の範囲】
【請求項１】
第１の無線通信装置から第２の無線通信装置へ、時分割多元接続方式で情報を送信する送信方法において、
前記第１の無線通信装置から前記第２の無線通信装置へ、少なくとも第１及び第２の一連の通信フレームにおいて情報が送信され、前記第１の一連の通信フレームの１つの通信フレームにおける第１タイムスロットによって送信された情報と同一の情報が、前記第２の一連の通信フレームの１つの通信フレームにおける、前記第１タイムスロットに先行するまたは後続する、第２タイムスロットで多重送信されているか否かを判定する第１判定ステップと、
前記第１判定ステップにて、多重送信されていると判定された場合には、前記第１タイムスロットの送信時と、前記第２タイムスロットの送信時との時間差を順次取得する取得ステップと、
前記第１及び第２の一連の通信フレームが順次送信されるのに応じて、前記取得した各時間差が増加または減少するか否かを判定する第２判定ステップと、
前記第２判定ステップにて、前記時間差が増加または減少すると判定された場合には、前記第１タイムスロットおよび前記第２タイムスロットの少なくとも１方の多重送信の態様を変更する変更ステップと、
を含むことを特徴とする送信方法。
【請求項２】
請求項１に記載の送信方法において、
前記多重送信の態様を変更する変更ステップが、
前記第１タイムスロットおよび前記第２タイムスロットの少なくとも１方の送信間隔を変更することによって、多重送信の態様を変更する、
ことを特徴とする送信方法。
【請求項３】
請求項１に記載の送信方法において、
前記多重送信の態様を変更する変更ステップが、
前記第１タイムスロットおよび前記第２タイムスロットの少なくとも１方のタイムスロットにおける、所定の通信フレームのタイムスロットでの送信を停止することによって、多重送信の態様を変更する、
ことを特徴とする送信方法。
【請求項４】
時分割多元接続方式で情報を送信する無線通信装置において、
自装置から無線通信端末へ、少なくとも第１及び第２の一連の通信フレームにおいて情報が送信され、前記第１の一連の通信フレームの１つの通信フレームにおける第１タイムスロットによって送信された情報と同一の情報が、前記第２の一連の通信フレームの１つの通信フレームにおける、前記第１タイムスロットに先行するまたは後続する、第２タイムスロットで多重送信されているか否かを判定する第１判定手段と、
前記第１判定手段にて、多重送信されていると判定された場合には、前記第１タイムスロットの送信時と、前記第２タイムスロットの送信時との時間差を順次取得する取得手段と、
前記第１及び第２の一連の通信フレームが順次送信されるのに応じて、前記取得した各時間差が増加または減少するか否かを判定する第２判定手段と、
前記第２判定手段にて、前記時間差が増加または減少すると判定された場合には、前記第１タイムスロットおよび前記第２タイムスロットの少なくとも１方の多重送信の態様を変更する変更手段と、
を含むことを特徴とする無線通信装置。
【発明の詳細な説明】
【技術分野】
【０００１】
本発明は、複数の利用者による通信の多重化を時分割多元接続方式（ＴＤＭＡ）にて行い、かつ、スロットダイバーシチにより通信品質を向上させた無線通信装置の送信方法において、スロットダイバーシチに適した多重化方式を適用する無線通信装置の送信方法及び無線通信装置に関する。
【背景技術】
【０００２】
近年、時分割多元接続方式（ＴＤＭＡ）における無線通信の品質を向上させるために、様々なダイバーシチ技術が提案されており、空間分割多元接続方式（ＳＤＭＡ）がある程度成熟した時期であること等を背景として、スロットダイバーシチ技術が注目されている。スロットダイバーシチ技術は、１つの無線通信装置からの通信チャネルを、各通信フレームにおいて、１つのスロットだけではなく、タイミング及び周波数の異なる複数のスロットに割り当てて同一の内容の情報を送信するものである。
【０００３】
スロットダイバーシチ技術では複数のスロットで同一の情報を送信するため、占有周波数帯域が倍増し、スロットダイバーシチを行わない場合と比較してスロットの利用効率が下がるという欠点がある。しかし、通信エラーへの耐性が向上し、例えばあるスロットで通信エラーが発生した場合でも、他のスロットで送信した同一内容の情報が受信側で正常に受信できる可能性が高くなる。このように、スロットダイバーシチ技術を用いれば、ノイズに強く、遠方の無線通信装置からの弱い電波であっても受信しやすい、すなわち品質のよい通信システムを実現することができる。
【０００４】
しかし、スロットダイバーシチ技術の他の欠点として、スロットダイバーシチを行わない場合と比較して電力消費が大きいことが挙げられる。すなわち、通信環境が良好である状態でスロットダイバーシチを行うと、電力を無駄に消費することとなる。よって、スロットダイバーシチを実行するか否かを判定する条件を、適切に選択することが重要である。
【０００５】
従来技術として、周辺の電波環境または無線通信装置の電池残量に基づいて、スロットダイバーシチを実行するか否かを決定する技術が提案されている（特許文献１を参照されたい）。また、占有周波数帯域の倍増という欠点を解決するために提案されている様々な方法の１つに、無線チャネルの多重化がある。これは、通常は１人の利用者を割り当てる１つのチャネルに、複数の利用者をある間隔で割り当てるものである。この多重化では１つのチャネル上に複数の通信を共有させるため、通信速度が劣化することがあるが、ある通信が終了した時点で別の通信用にチャネルを割り当てることが可能であるため、劣化を最小限に抑えることができる。
【０００６】
図２は、時分割多元接続方式で無線通信を行う場合の、チャネル構成の例を示す図である。周波数がｆ０〜ｆ７と異なる各フレームが、スロット０〜スロット２の３つのチャネルスロットから構成されている。各チャネルには、Ｃ０〜Ｃ２３の番号を付す。図３、図４は、無線チャネルの多重化の例を示す図である。図３、図４は、ここでは例えばチャネルＣ６を共有しているユーザ（通信）が、それぞれ２つ、３つの場合を示す。図内の（ａ）は、各フレームにおけるチャネルへのユーザの割当て方法（以下、多重化パターンと称する。）を示し、（ｂ）は、各フレームのスロット構成を示す。なお説明を簡単にするため、図では１フレームごとに通信するユーザを切り替えており、各ユーザに対して平等に通信時間を割り当てるものとする。さらに、ある１つのフレームでは、１ユーザは１つのスロットのみを使用するものとする。図では、３つのチャネルスロットＣ６〜Ｃ８から成るフレームが、無線通信装置（基地局）によって、Ｎ＋０から順次送信されている。チャネルＣ６を、２つのユーザＡ、Ｂで共有する場合は、フレームＮ＋０ではＡ、フレームＮ＋１ではＢ、フレームＮ＋３ではＡがチャネルＣ６を使用する（図３参照）。３つのユーザＡ〜Ｃで共有する場合は、フレームＮ＋０ではＡ、フレームＮ＋１ではＢ、フレームＮ＋２ではＣ、フレームＮ＋３ではＡがチャネルＣ６を使用する（図４参照）。
【０００７】
いま、図３のようにチャネルＣ６を２つのユーザＡ、Ｂで共有している場合に、新規ユーザＣからチャネルＣ６に対して通信要求が発生すると、多重化パターンを図４のように変更することができる。その逆もまた可能であり、図４のようにチャネルＣ６を３つのユーザＡ〜Ｃで共有している場合に、ユーザＣの通信が終了したことが通知されると、通信速度を改善させるために、多重化パターンを図３のように変更することができる。
【０００８】
安定した通信品質を確保できるスロットダイバーシチを行いながら、無線チャネルの多重化を行えば、スロットダイバーシチの欠点である占有周波数の倍増が及ぼす影響を軽減することができる。しかし、従来技術ではスロットダイバーシチ及び無線チャネルの多重化を２つ同時に行うことは提案されていない。
【０００９】
ここで、スロットダイバーシチと無線チャネルの多重化を同時に行う場合について検討する。図５は、スロットダイバーシチを行いながら、無線チャネルの多重化を行う場合の、チャネルの多重化パターン及び各フレームのスロット構成を説明する図である。ここでは例として、スロットダイバーシチにチャネルＣ６及びＣ１６を用いるものとする。同図（ａ）はチャネルＣ６（スロット０）をユーザＡ、Ｂ、Ｃの３ユーザで共有する場合、同図（ｂ）はチャネルＣ１６（スロット１）をユーザＡ、Ｄ、Ｅの３ユーザで共有する場合の、チャネルの多重化パターンを示し、同図（ｃ）は、基地局から送信される各フレームのスロット構成を示す。図において、横軸方向の時間の経過と共に、フレームが順次送信されるものとし、ユーザＡは、チャネルＣ６（スロット０）とチャネルＣ１６（スロット１）を使用してスロットダイバーシチを実行している。この場合のスロットダイバーシチでは、フレームＮ＋０とＮ＋１、Ｎ＋３とＮ＋４、Ｎ＋６とＮ＋７というように、２つのスロットの同じデータを入れて送信している。
【特許文献１】特願２００３−１９５０５８号公報
【発明の開示】
【発明が解決しようとする課題】
【００１０】
図６に、図５の状態からユーザＣの通信が終了し、チャネルＣ６の多重化パターンが変更された場合を示す。この場合、チャネルＣ６は図６（ａ）のようにユーザＡ、Ｂの２ユーザで共有し、チャネルＣ１６は図５（ｂ）と同様に図６（ｂ）のようにユーザＡ、Ｄ、Ｅの３ユーザで共有している。図６（ｃ）は各フレームのスロット構成を示す。この場合のスロットダイバーシチでは、フレーム Ｎ＋０とＮ＋１、Ｎ＋２とＮ＋４、Ｎ＋４とＮ＋７、というように同一の情報を送るスロット間の時間差が徐々に広がってしまう。この状態のままではチャネル当たりのスループットが低下し、またスロットダイバーシチの実行時間に比例して使用する２つのスロット間の時間差が拡大することになり好ましくない。例えば、当該時間差が通信相手のジッタバッファの容量を超える場合には、遅れて到着したスロットの同一内容データが破棄され、スロットダイバーシチとして利用できない場合が考えられる。
【００１１】
なお、図６（ｃ）は、本発明の多重化されたチャネルを用いたスロットダイバーシチを、基地局が実行している場合を示す図である。すなわち、基地局が各端末装置に向けて送信する複数の一連のフレーム（図では例として２つの一連のフレーム）を示している。ここで、図１４（ｃ）に、図６（ｃ）に示した構成で基地局から送信されたフレームを受信した端末装置のユーザが認識する構成としての、フレーム構成を示す。スロットダイバーシチを行う場合、端末装置は、基地局から送信されたスロットダイバーシチを行うスロットを含む、２つの一連のフレーム（この場合は、周波数およびチャネル番号が異なる）を別個の受信部により受信し、データ処理を行う。従って、これら２つの一連のフレームを受信した端末装置のユーザには、あたかも、図１４（ｃ）に示す構成の「１つの一連のフレーム」を受信したと認識される。図１４（ｃ）に示すように、スロットダイバーシチを行っている同一情報を含むスロットの時間差が次第に大きくなっていることが分かる。
【００１２】
ここで示した図５と図６の例の違いは、スロットダイバーシチを実行するユーザＡが使用する２つのチャネルに割り当てられる通信時間に差があることである。図５においては、ユーザＡはチャネルＣ６、Ｃ１６ともに３フレーム毎に通信時間が割り当てられている。それに対して、図６ではユーザＡはチャネルＣ６では２フレーム毎に、チャネルＣ１６では３フレーム毎に通信時間が割り当てられている。この割り当てられる通信時間差が、時間の経過（即ち、２つのチャネルで、２つの一連のフレームが送信されるの応じて）に伴い増加することにより、スロットダイバーシチが継続できなくなる。このように、各チャネルでは、セル内の混雑状況に応じて、ユーザが増減して、既存のユーザに割り当てられる通信時間が増減することになる。従って、２つのチャネルで、スロットダイバーシチを行うユーザは、各チャネル内のスロット同士での同期が取れなくなってしまう。このため、スロットダイバーシチを行う複数のスロット間において割り当てられる通信時間差が時間の経過に伴い増加する場合には、何らかの対策が必要であった。
【００１３】
よって、本発明の目的は、多重化されたチャネルを使ってスロットダイバーシチを実行する際に、複数のスロット間に割り当てられる通信時間差が時間の経過に伴い増加する場合に、有効にスロットダイバーシチを行う方法および装置を提供することにある。
【課題を解決するための手段】
【００１４】
上述した諸課題を解決すべく、第１の発明による無線通信装置の送信方法は、
第１の無線通信装置から第２の無線通信装置へ、時分割多元接続方式で情報を送信する送信方法であって、
前記第１の無線通信装置から前記第２の無線通信装置へ、少なくとも第１及び第２の（各フレームが少なくとも第１及び第２のタイムスロットを有する複数の）一連の通信フレームにおいて情報が送信され、前記第１の一連の通信フレームの１つの通信フレームにおける第１タイムスロットによって送信された情報と同一の情報が、前記第２の一連の通信フレームの１つの通信フレームにおける、前記第１タイムスロットに先行するまたは後続する、第２タイムスロットで多重送信されているか否か（即ち、スロットダイバーシチを行っているか否か）を判定する第１判定ステップと、
前記第１判定ステップにて、多重送信されていると判定された場合には、前記（第１の一連の通信フレームの１つの通信フレームの）第１タイムスロットの送信時と、前記（第２の一連の通信フレームの１つの通信フレームの）第２タイムスロットの送信時との時間差を順次取得する取得ステップと、
前記第１及び第２の一連の通信フレームが順次送信されるのに応じて、前記取得した各時間差が増加または減少するか否かを（順次）判定する第２判定ステップと、
前記第２判定ステップにて、前記時間差が増加または減少すると判定された場合には、（前記時間差がほぼ一定となるように、）前記（第１の一連の通信フレームの１つの通信フレームの）第１タイムスロットおよび前記（第２の一連の通信フレームの１つの通信フレームの）第２タイムスロットの少なくとも１方の多重送信の態様を変更する変更ステップと、
を含むことを特徴とする。
ここで、第１の一連の通信フレームと、第２の一連の通信フレームとは、チャネル番号、キャリア周波数または空間多重番号が少なくとも１つ異なるフレームで送信される、区別可能な別個の一連の通信フレームである。
【００１５】
第２の発明による無線通信装置の送信方法は、
前記多重送信の態様を変更する変更ステップが、
前記（第１の一連の通信フレームの１つの通信フレームの）第１タイムスロットおよび前記（第２の一連の通信フレームの１つの通信フレームの）第２タイムスロットの少なくとも１方の送信間隔を変更することによって、多重送信の態様を変更する、
ことを特徴とする。
【００１６】
第３の発明による無線通信装置の送信方法は、
前記多重送信の態様を変更する変更ステップが、
前記（第１の一連の通信フレームの１つの通信フレームの）第１タイムスロットおよび前記（第２の一連の通信フレームの１つの通信フレームの）第２タイムスロットの少なくとも１方のタイムスロットにおける、所定の通信フレームのタイムスロットでの送信を停止することによって（即ち、間欠的に多重通信を中止してタイミングを合わせることによって）、多重送信の態様を変更する、
ことを特徴とする。
【００１７】
上述したように本発明の解決手段を方法として説明してきたが、本発明はこれらの方法を実施するための装置としても実現し得るものであり、本発明の範囲にはこれらも包含されるものと理解されたい。
例えば、本発明を装置として実現させた第４の発明による無線通信装置は、
時分割多元接続方式で情報を送信する無線通信装置であって、
自装置（基地局等）から無線通信端末（携帯端末等）へ、少なくとも第１及び第２の（各フレームが少なくとも第１及び第２のタイムスロットを有する複数の）一連の通信フレームにおいて情報が送信され、前記第１の一連の通信フレームの１つの通信フレームにおける第１タイムスロットによって送信された情報と同一の情報が、前記第２の一連の通信フレームの１つの通信フレームにおける、前記第１タイムスロットに先行するまたは後続する、第２タイムスロットで多重送信されているか否か（即ち、スロットダイバーシチを行っているか否か）を判定する第１判定手段と、
前記第１判定手段にて、多重送信されていると判定された場合には、前記（第１の一連の通信フレームの１つの通信フレームの）第１タイムスロットの送信時と、前記（第２の一連の通信フレームの１つの通信フレームの）第２タイムスロットの送信時との時間差を順次取得する取得手段と、
前記第１及び第２の一連の通信フレームが順次送信されるのに応じて、前記取得した各時間差が増加または減少するか否かを（順次）判定する第２判定手段と、
前記第２判定手段にて、前記時間差が増加または減少すると判定された場合には、（前記時間差がほぼ一定となるように、）前記（第１の一連の通信フレームの１つの通信フレームの）第１タイムスロットおよび前記（第２の一連の通信フレームの１つの通信フレームの）第２タイムスロットの少なくとも１方の多重送信の態様を変更する変更手段と、
を含むことを特徴とする。
【発明の効果】
【００１８】
このように、複数のスロット間に割り当てられる通信時間の差がほぼ一定となるようにチャネルの多重化パターンを変更することで、時間の経過に伴う各スロット間に割り当てられる通信時間差の増加が回避され、有効にスロットダイバーシチを行うことが可能になる。
【００１９】
また、複数スロット間において割り当てられる通信時間の差がほぼ一定となるようにスロットダイバーシチのＯＮ／ＯＦＦ切替制御を実行することで、時間の経過に伴うスロットダイバーシチを行うチャネル間の通信時間差の増加が回避され、有効にスロットダイバーシチを行うことが可能になる。
【発明を実施するための最良の形態】
【００２０】
以降、諸図面を参照しながら、本発明による無線通信装置の実施態様を詳細に説明する。典型例として基地局と移動端末との通信を想定し、無線通信装置としては基地局を例に説明する。
【００２１】
図１は、本発明の一実施態様による無線通信装置の構成を示すブロック図である。図に示した無線通信装置１００は、送信部１１０、チャネル符号化部１２０、チャネル多重化制御部１３０、チャネル割当部１４０、スロットダイバーシチ制御部１５０、チャネル復号部１６０、受信部１７０、及びアンテナＡＮＴを備える。チャネル割当部１４０は、スロットダイバーシチの開始要求を伴う無線通信装置１００の送信信号の要求に対して、スロットダイバーシチに使用するための複数のチャネルの割当てを行う。スロットダイバーシチ制御部１５０は、無線通信装置１００の送信信号及び他の無線通信装置からの受信信号からスロットダイバーシチ要求の検知を行い、チャネル多重化制御部１３０へ検知した情報を送る。チャネル多重化制御部１３０は、スロットダイバーシチを実行するために割り当てられた複数のチャネルの多重化情報を考慮して、スロットダイバーシチに適したチャネルの多重化を行い、チャネル符号化部１２０、チャネル復号部１６０は、それぞれ、送信信号の符号化、受信信号の復号を行う。送信部１１０及び受信部１７０は、アンテナＡＮＴを介して他の無線通信装置とデータの送受信を行う。
【００２２】
以降、本発明の無線通信装置１００による、スロットダイバーシチを実行するユーザ（ここでは、ユーザＡ）が使用する２つのチャネルスロットに割り当てられる通信時間差が、図６のように増加することを回避する方法について説明する。
【００２３】
第１の実施例
図７、図８に、本発明による第１の実施例を説明する、各チャネルの多重化パターンを示す。第１の実施例では、スロットダイバーシチを実行する各チャネル間の通信時間差が増加または減少すると、チャネルの多重化パターンを変更する。図７は、図６の状態からチャネルＣ６の多重化パターンを変更した場合を示し、同様に図８は、チャネルＣ１６の多重化パターンを変更した場合を示す図である。図７のように、チャネルＣ６の多重化パターンを、図６の状態から、３フレーム毎に１フレームをユーザＡに、３フレーム毎に２フレームをユーザＢに割り当てるように変更する。具体例で説明すれば、スロットダイバーシチを行う２つのチャネル間で割り当てられる通信時間差が等しくなるように、フレームＮ＋０とＮ＋１でデータＡ１、Ｎ＋３とＮ＋４でデータＡ２、Ｎ＋６とＮ＋７でデータＡ３を送信するように変更する。また、図８のように、チャネルＣ１６の多重化パターンを変更して、図６の状態から、２フレーム毎に１フレームをユーザＡに、４フレーム毎に１フレームをユーザＤ、Ｅに割り当てるように変更することもできる。具体例で説明すれば、スロットダイバーシチを行う２つのチャネル間で割り当てられる通信時間が等しくなるように、フレームＮ＋０とＮ＋１でデータＡ１、Ｎ＋２とＮ＋３でデータＡ２、Ｎ＋４とＮ＋５でデータＡ３を送信するように変更する。
【００２４】
第２の実施例
図９に、本発明による第２の実施例を説明する、各チャネルの多重化パターンを示す。第２の実施例では、スロットダイバーシチを実行する各チャネル間の通信時間差が増加または減少すると、所定のフレームに対するスロットダイバーシチのＯＮ／ＯＦＦ（実行／停止）を切り替える。図９は、図６の状態から、チャネルＣ６を使用するユーザＡへチャネルを割り当てる回数のうち、３回中２回でスロットダイバーシチを実行し、３回中１回でスロットダイバーシチを停止するように切替制御を行う。スロットダイバーシチを停止するとは、即ち、チャネルＣ１６でチャネルＣ６と同一のデータを送信しないことを意味する。具体例で説明すれば、スロットダイバーシチを行う２つのチャネル間で割り当てられる通信時間差が拡大しないように、フレームＮ＋０とＮ＋１でデータＡ１、Ｎ＋２とＮ＋４でデータＡ２を送信したのち、フレームＮ＋４のチャネルＣ６で送信されたデータＡ３に対してはスロットダイバーシチを行わず、Ｎ＋６とＮ＋７でデータＡ４を送信するように、スロットダイバーシチのＯＮ／ＯＦＦを切り替える。
【００２５】
ここで、従来手法である図６と、本発明で提案した図７〜９に示した方法に関して、各チャネル当たりのスループットを比較する。いま、各チャネルの最大通信速度をＲ［ｂｐｓ］とし、ユーザＡ、ユーザＢそれぞれが用いる各チャネルのスループットをそれぞれＲＵｓｅｒＡ、ＲＵｓｅｒＢ（それぞれ単位は［ｂｐｓ］）とすると、チャネルＣ６のスループットＲＣ６［ｂｐｓ］は次の式で求めることができる。
2008136128.tif 000003
上記の式を用いて、従来手法と本発明による方法におけるスループットの値を求める。ここでは、通信エラーは発生しない理想的な場合とする。
【００２６】
＜従来手法の場合＞
ユーザＡは（１／２）フレームの間隔で通信時間は割り当てられるが、チャネルＣ１６では（１／３）フレームの間隔で割り当てられている状態でスロットダイバーシチを実行している。通信先では（１／２）フレームの間隔で受け取ったデータを（１／３）フレームの間隔でしか処理できないため、チャネルＣ６におけるユーザＡのスループットは（１／３）Ｒとなる。またユーザＢには（１／２）フレームの間隔で通信時間が割り当てられるため、チャネルＣ６のスループットＲＣ６は以下の式となる。
2008136128.tif 000004
【００２７】
＜多重化パターンを変更した場合＞
ユーザＡは（１／３）フレームの間隔で通信時間を割り当てられ、ユーザＢは（２／３）フレームの間隔で通信時間が割り当てられるため、チャネルＣ６のスループットＲＣ６は以下の式で与えられる。
2008136128.tif 000005
【００２８】
＜スロットダイバーシチのＯＮ／ＯＦＦ切替制御した場合＞
まず、ユーザＡのスループットは以下の式で与えられる。
2008136128.tif 000006
（ただし、αはスロットダイバーシチがＯＦＦの状態（スロットダイバーシチを行わない場合）における通信成功率であって、その意味は以下で説明する。）上記の式において、第１項の（１／２）は、ユーザＡに割り当てられる通信時間、第２項の（２／３）はユーザＡに割り当てられる通信時間内の、３フレーム中の２フレームの割合でスロットダイバーシチがＯＮの状態（スロットダイバーシチが行われる場合であって、図９（ａ）において対応するフレーム番号は、Ｎ＋０、Ｎ＋２、Ｎ＋６となる。）の通信時間を指す。第３項の（α／３）は、ユーザＡに割り当てられる通信時間内の、３フレーム中の１フレームの割合でスロットダイバーシチがＯＦＦの状態（スロットダイバーシチが行われない場合であって、図９（ａ）において対応するフレーム番号はＮ＋４となる。）の通信時間を指す。ここで、通信が失敗した場合に、通信時間が割り当てられなかったことを示すため、通信成功率α（αは０〜１までの値）を乗ずる。
【００２９】
次に、ユーザＢのスループットは以下の式で与えられる。
2008136128.tif 000007
ここで、第１項の（１／２）はユーザＢに割り当てられる時間を指す。
これらより、チャネルＣ６におけるトータルスループットは以下の式で与えられる。
2008136128.tif 000008
上記の計算結果より、本発明による２つの方法は従来手法と比較してチャネル当たりの通信速度が改善することが分かる。
【００３０】
次に、各実施例における無線通信装置１００の処理を、フローチャートを用いて説明する。まず、多重化パターンを変更する場合のフローチャートを図１０に示す。ステップＳ１１において、スロットダイバーシチ制御部１５０は、送信信号及び受信信号から、スロットダイバーシチの要求があるか否かを判定する。無い場合には処理を終了し、有る場合にはステップＳ１２へ処理を移す。ステップＳ１２において、スロットダイバーシチ制御部１５０はチャネル多重化制御部１３０から、スロットダイバーシチで使用する複数スロットの各通信時間を、順次取得する。ステップＳ１３において、スロットダイバーシチ制御部１５０がチャネル多重化制御部１３０から取得した各スロット間の通信時間が増加または減少するか否かを判定する。例えば、所定の閾値（例えば、１０フレーム分に相当する時間など）を各スロット間の通信時間が超える場合に、増加または減少するものと判定する。増加または減少する場合にはステップＳ１４へ、しない場合には処理を終了する。ステップＳ１４において、スロットダイバーシチ制御部１５０は、チャネル多重化制御部１３０に対して、ステップＳ１２で取得する各スロット間での通信時間差が増加しないように、多重化パターンを変更する。
【００３１】
ここで、具体例に沿って多重化パターンの変更処理を説明する。図１２は、多重化パターンが変更される場合を説明する図である。ユーザＡ、ユーザＢ、ユーザＣが使用するチャネルをＣ６、ユーザＤ、ユーザＡ、ユーザＥが使用するチャネルをＣ１６とし、それぞれ同図（ａ）、（ｂ）に多重化パターンを示す。また、同図（ｃ）にフレームのスロット構成をフレームＮ＋０のみ示す。他のフレームも同様である。通信が開始すると、スロットダイバーシチ制御部１５０がスロットダイバーシチがあるか否かを判定する（ステップＳ１１）。この場合スロットダイバーシチを実行しているため、スロットダイバーシチで使用しているチャネルＣ６とＣ１６の通信時間を順次取得する（ステップＳ１２）。ここで、フレームＮ＋０からＮ＋５までは、スロットダイバーシチを行う２つのチャネル間の通信時間差が等しく、ステップＳ１１〜ステップＳ１３までの処理を繰り返す。フレームＮ＋５を送信後にユーザＣの通信処理が終了すると、チャネルＣ６とチャネルＣ１６の通信時間差が増加したとスロットダイバーシチ制御部１５０が判定し、チャネル多重化制御部１３０に対して、チャネルＣ６の多重化パターンを変更する要求を行う（ステップＳ１３）。要求を受けたチャネル多重化制御部１３０は、チャネルＣ６において、ユーザＡが使用するパターンはそのままにし、ユーザＢに対して空いた通信時間（ユーザＣが使用していた分）を割り当てるように、フレームＮ＋６の多重化パターンを変更する（ステップＳ１４）。その後、フレームＮ＋１７を送信後にユーザＥの通信処理が終了すると、同様の処理により、２つのチャネル間で割り当てられる通信時間差が等しくなるようにチャネルＣ６の多重化パターンが変更される。
【００３２】
次に、スロットダイバーシチのＯＮ／ＯＦＦ切替制御の場合のフローチャートを図 １１に示す。ステップＳ２１〜ステップＳ２３の処理は、図１０のステップＳ１１〜ステップＳ１３の処理と同様であるため説明を省略する。ステップＳ２４にて、スロットダイバーシチ制御部１５０は、スロットダイバーシチで使用する２つのチャネル間における通信時間差が増加しないように、スロットダイバーシチのＯＮ／ＯＦＦ切替制御を行う。
【００３３】
ここで、具体例に沿って多重化パターンの変更処理を説明する。図１３は、スロットダイバーシチＯＮ／ＯＦＦ切替制御が行われる場合を説明する図である。ユーザＡ、ユーザＢ、ユーザＣが使用するチャネルをＣ６、ユーザＤ、ユーザＡ、ユーザＥが使用するチャネルをＣ１６とし、それぞれ同図（ａ）、（ｂ）に多重化パターンを示す。また、同図（ｃ）にフレームのスロット構成をフレームＮ＋０のみ示す。他のフレームも同様である。フレームＮ＋０からＮ＋５までは、図１２を用いて説明した多重化パターンを変更する場合と同様のため、説明を省略する。フレームＮ＋５を送信後にユーザＣの通信処理が終了すると、チャネルＣ６とチャネルＣ１６の通信時間差が増加したとスロットダイバーシチ制御部１５０が判定し、チャネル多重化制御部１３０に対して、スロットダイバーシチのＯＮ／ＯＦＦ切替制御を開始する要求を行う（ステップＳ２３）。要求を受けたチャネル多重化制御部１３０は、チャネルＣ６の多重化パターンを変えることなく、フレームＮ＋６、Ｎ＋８においてはスロットダイバーシチを実行し（ＯＮ）、フレームＮ＋１０、Ｎ＋１６においてはスロットダイバーシチを停止する（ＯＦＦ）という制御を行う（ステップＳ２４）。その後フレームＮ＋１７を送信後にユーザＥの通信処理が終了すると、チャネルＣ６とチャネルＣ１６との間の通信時間差における増減が無くなるため、スロットダイバーシチＯＮ／ＯＦＦ切替制御を終了する（ステップＳ２３）。
【００３４】
なお、上述した実施例において、多重化パターンの変更またはスロットダイバーシチのＯＮ／ＯＦＦの切替は、多重化パターンの態様を変更する以前に、前記態様を変更する旨が無線通信装置１００から予め携帯端末に通知されてから、即ち、ネゴシエーションが行われてから処理が開始される。
【００３５】
上述の説明では、各フレームには１つのスロットのみを通信に使用しているが、本発明はこれに限られるものではなく、各フレームの２つ以上のスロットを通信に用いることも可能であり、また、１つのユーザがスロットダイバーシチを行う場合について説明したが、本発明はこれに限られるものではなく、２つ以上のユーザでスロットダイバーシチを行うことも可能であることに留意されたい。
【００３６】
上述したように本発明による無線通信装置の送信方法を装置として行う場合について説明しているが、この送信方法をソフトウェア、すなわち、プログラム、プログラムを記録した記憶媒体としても実現し得るものであり、本発明の範囲にはこれらも包含されるものと理解されたい。
【００３７】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップなどに含まれる機能などは論理的に矛盾しないように再配置可能であり、複数の手段やステップなどを１つに組み合わせたり、あるいは分割したりすることが可能である。
【図面の簡単な説明】
【００３８】
【図１】本発明に係る無線通信装置のブロック図である。
【図２】本発明に係る時分割多元接続方式で通信を行う場合のチャネル構成の例を示す図である。
【図３】無線チャネルの多重化の例として、２ユーザを１チャネルに多重化する場合の多重化パターンを示す図である。
【図４】無線チャネルの多重化の例として、３ユーザを１チャネルに多重化する場合の多重化パターンを示す図である。
【図５】スロットダイバーシチと無線チャネルの多重化を行う場合に、各チャネル間の通信時間に差がない状態のチャネルの多重化パターンと、基地局が送信する各フレーム構成を説明する図である。
【図６】スロットダイバーシチと無線チャネルの多重化を行う場合に、各チャネル間の通信時間に差がある状態のチャネルの多重化パターンと、基地局が送信する各フレーム構成を説明する図である。
【図７】本発明による多重化パターンの変更を説明する、チャネルの多重化パターンを示す図である。
【図８】本発明による多重化パターンの変更を説明する、チャネルへの多重化パターンを示す図である。
【図９】本発明によるスロットダイバーシチＯＮ／ＯＦＦ切替制御方法を説明する、チャネルの多重化パターンを示す図である。
【図１０】本発明による多重化パターンの変更処理を行う場合のフローチャートである。
【図１１】本発明によるスロットダイバーシチＯＮ／ＯＦＦ切替制御を行う場合のフローチャートである。
【図１２】本発明による多重化パターンの変更処理を行う場合の、チャネルの多重化パターンの具体例を説明する図である。
【図１３】本発明によるスロットダイバーシチＯＮ／ＯＦＦ切替制御を行う場合の、チャネルの多重化パターンの具体例を説明する図である。
【図１４】図６に示すフレーム構成で基地局が送信した各フレームを、端末装置が受信する場合の、多重化パターンと各フレーム構成を説明する図である。
【符号の説明】
【００３９】
１００  無線通信装置
１１０  送信部
１２０  チャネル符号化部
１３０  チャネル多重化制御部
１４０  チャネル割当部
１５０  スロットダイバーシチ制御部
１６０  チャネル復号部
１７０  受信部
ＡＮＴ  アンテナ
Ｃ６〜Ｃ２３  チャネル番号
【図１】
2008136128.tif 000009
【図２】
2008136128.tif 000010
【図３】
2008136128.tif 000011
【図４】
2008136128.tif 000012
【図５】
2008136128.tif 000013
【図６】
2008136128.tif 000014
【図７】
2008136128.tif 000015
【図８】
2008136128.tif 000016
【図９】
2008136128.tif 000017
【図１０】
2008136128.tif 000018
【図１１】
2008136128.tif 000019
【図１２】
2008136128.tif 000020
【図１３】
2008136128.tif 000021
【図１４】
2008136128.tif 000022